(57)【特許請求の範囲】
【請求項１】
二つの保持収納部分を、互いに連設された第１構成片及び第２構成片と、第２構成片に対して別体又は連接される第３構成片で形成させる袋体であって、
前記第１構成片と第２構成片とにより二辺の全部又は一辺から連続する辺の一部にかけて開口された保持部分を形成させたフォルダ部と、
前記フォルダ部を形成する前記第１構成片又は第２構成片と前記第３構成片とにより三辺の全部又は一辺から連続する両側の辺の一部を接着させて収納部分を形成させた袋部と、
前記第１構成片又は第２構成片を共通として一体とされた前記フォルダ部及び前記袋部より、当該袋部を当該フォルダ部より分離させるために形成される所定数の切取線と、
を有することを特徴とする袋体。
【請求項２】
請求項１に記載の袋体であって、前記所定の切取線は、前記袋部が前記フォルダ部より分離させた後に、当該フォルダ部に保持部分を一部残存させる位置に形成されることを特徴とする袋体。
【発明の詳細な説明】
【技術分野】
【０００１】
本発明は、複数の保持収納部分を備える袋体に関する。
【背景技術】
【０００２】
紙片等により形成される袋体は古くより種々存在し、使われる業種、使用態様に応じた機能を備えるものが提案され、製造設備や製造技術の向上によってより容易に、かつ安価に作製することができるようになってきている。一方で袋体を使用する態様の変化や多種化に対して十分に対応しきれておらず、業種や使用態様に応じて利便性の優れた袋体が望まれている。
【０００３】
従来、袋体の一例として以下の特許文献に提案されているものがある。この特許文献は、封止が行われているか否かを確実に判別するための製袋フォーム（給料袋）が提案されたもので、３枚の連設する帳票片のうち２枚の帳票片の左右外縁部が接着させて袋状の収納部を形成させ、当該収納部に現金が収納されたときに当該１枚の帳票片と別の１枚の帳票片との間に設けられた封止片を、収納部を形成したもう１枚の帳票片側に折り返させて接着層により接着させるというものである。すなわち、封止片が折り返されているか否かで封止されたか否かを判別するというものである。
【０００４】
【特許文献１】特開平６−２８６７５５号公報
【発明の開示】
【発明が解決しようとする課題】
【０００５】
ところで、上記特許文献で提案されている製袋フォームを、給料袋に限らず他の用途（例えば、集金袋等）で使用し、さらに当該袋をチラシやパンフレットなどの帳票類と一緒にする必要がある場合には散在しないようにクリップで綴じるか、別の袋体やフォルダにそれぞれまとめて収納しなければならない。クリップ綴じでは綴じ対象の大きさが異なると取扱いが不便であり、上記別袋体を使用することは当該別袋体と収納される袋とが別物としての不便性がある。
【０００６】
そこで、本発明は上記課題に鑑みなされたもので、袋としての機能と帳票類保持の機能とを共に備えさせて一体としての利便性を向上させる袋体を提供することを目的とする。
【課題を解決するための手段】
【０００７】
上記課題を解決するために、請求項１の発明では、二つの保持収納部分を、互いに連設された第１構成片及び第２構成片と、第２構成片に対して別体又は連接される第３構成片で形成させる袋体であって、前記第１構成片と第２構成片とにより二辺の全部又は一辺から連続する辺の一部にかけて開口された保持部分を形成させたフォルダ部と、前記フォルダ部を形成する前記第１構成片又は第２構成片と前記第３構成片とにより三辺の全部又は一辺から連続する両側の辺の一部を接着させて収納部分を形成させた袋部と、前記第１構成片又は第２構成片を共通として一体とされた前記フォルダ部及び前記袋部より、当該袋部を当該フォルダ部より分離させるために形成される所定数の切取線と、を有する構成とする。
【０００８】
請求項２の発明では、「前記所定の切取線は、前記袋部が前記フォルダ部より分離させた後に、当該フォルダ部に保持部分を一部残存させる位置に形成される」構成である。
【発明の効果】
【０００９】
本発明によれば、第１構成片〜第３構成片のうち、第１構成片と第２構成片とにより二辺の全部又は一辺から連続する辺の一部にかけて開口させてフォルダ部とし、当該フォルダ部の一の構成片を共通として第３構成片で三辺の全部又は一辺から連続する両側の辺の一部を接着させて収納部分を形成させた袋部とし、所定位置に形成される切取線により袋部をフォルダ部より分離させる構成とすることにより、袋部による袋としての機能とフォルダ部による帳票類保持の機能とを共に備えさせて一体としての利便性を向上させることができると共に、袋部を分離させることで単体としても使用可能とさせて目的に応じた利便性を向上させることができるものである。
【発明を実施するための最良の形態】
【００１０】
以下、本発明の最良の実施形態を図により説明する。本実施形態では、袋体を形成する基材を紙材として説明するが、紙材であっても上質紙の他にコート紙等でも適用することができると共に、紙材の他に樹脂シート（好ましくは印刷可能な樹脂シート）等においても適用することができるものである。
【００１１】
図１に本発明に係る袋体の第１実施形態の構成図を示すと共に、図２に図１の袋体の展開説明図を示す。図１に示す袋体１１は、紙材等を基材として形成されたもので、フォルダ部１２及び袋部１３により構成される。フォルダ部１２は、第１構成片２１と第２構成片２２とにより形成され、一方の縦方向側辺部が切取兼用折り線２３の部分で折り込まれ、下辺部分で第２構成片２２に形成された切取線２４を境としてフォルダ形成接着部２５により接着されることにより他の二辺を開口部分としてフォルダ機能を充足している。なお、フォルダ形成接着部２５は、ここでは容易に剥がれない強接着の接着剤を使用している。
【００１２】
一方、袋部１３は、第３構成片２６を第２構成片２２に上辺を除いた三辺を袋部形成接着部２７により接着させることで袋状の収納部分が形成されたものである。袋部形成接着部２７においても、ここでは容易に剥がれない強接着の接着剤を使用している。当該第３構成片２６は、第２構成片２２と幅方向（横方向）の長さは略同一であり、高さ方向（縦方向）は第２構成片２２に形成された切取線２４と当該第２構成片２２のフラップ対応部分２２Ａとの間に位置される長さのものが使用される。すなわち、袋部１３は、フォルダ部１２を形成する第２構成片２２と共通として形成され、後述のように、切取兼用折り線２３の部分と切取線２４の部分とで切り取ることによって当該袋部１３がフォルダ部１２より分離可能とされるものである。
【００１３】
上述のような袋体１１を、例えば通信販売の形態で、対象商品のチラシやパンフレットを同梱させ、購入料金を集金袋内に収納させて回収する場合を一例として説明すると、当該袋体１１は、まずフォルダ部１２を構成するものとして、図２（Ａ）に示すように、第１構成片２１と第２構成片２２とが切取兼用折り線２３を介在させて連設されたものであり、第２構成片２２の下方に切取線２４が形成されている。
【００１４】
そして、外側面となる第１構成片２１には顧客の氏名や会員番号等が適宜印刷され、第２構成片２２には上記フラップ対応部分２２Ａとなる箇所に例えば「折り曲げフラップ」が適宜印刷される。また、内側面となる第２構成片２２においても適宜顧客名や会員番号、及び袋部１３になる表示「集金袋」が適宜印刷されるもので、連設状態の第１構成片２１及び第２構成片２２の下方部分（切取線２４より下方）にフォルダ部形成接着部２５が形成される。
【００１５】
一方、第３構成片２６は、図２（Ｂ）に示すように、外側面には例えば「集金袋」が適宜印刷され、内側面の三辺部分に袋部形成接着剤２７がいわゆるベタ状態（所定数のピンポイント状態としてもよい）形成される。この第３構成片２６が、図２（Ｃ）に示すように、図２（Ａ）に示す外側面の第２構成片２２上であって、切取線２４とフラップ対応部分２２Ａとの間に位置されて接着される。そして、切取兼用折り線２３で折り曲げ、第１構成片２１及び第２構成片２２に形成されたフォルダ部形成接着部２５同士を接着させることによって、図１に示す袋体１１となるものである。
【００１６】
そこで、図３に、図１の袋体の使用形態の説明図を示す。図３（Ａ）において、袋体１１は、そのフォルダ部１２の開口部分より例えば顧客対応のチラシや注文書等の帳票類２８が所定枚数投入されることで保持する。このような袋体１１が、例えば各顧客に配送され、又はグループ化された複数の顧客の纏め人に顧客数分纏められて配送されて各顧客に配分される。すなわち、配送、配分にあたって帳票類２８がフォルダ部１２内に保持されることから散在が回避される。
【００１７】
各顧客では、袋体１１のフォルダ部１２より帳票類２８を抜き取り、これより所望の商品を選択して注文書に記入する。そこで、図３（Ｂ）に示すように、袋体１１の切取兼用折り線２３及び切取線２４より袋部（集金袋）１３をフォルダ部１２より分離させる。そして、当該袋部１３に当該注文書及び購入代金を投入した後、図３（Ｃ）に示すように、フラップ対応部分２２Ａを折り曲げることで簡易封止して、商品購入先に配送したり、纏め人に持参したりするものである。なお、注文書を別途郵送等するハガキとしてもよい。
【００１８】
このように、袋部１３による袋としての機能とフォルダ部１２による帳票類保持の機能とを共に備えさせて一体としての利便性を向上させることができると共に、袋部１３を分離させることで単体としても使用可能とさせて目的に応じた利便性を向上させることができるものである。なお、袋部１３の形成される第３構成片２６に接着される第２構成片２２には、図２（Ａ）に示すように、各顧客に関する情報（○○様、会員ＮＯ.×××）が印字されているため、集金袋を回収された後でも誰からのものかを容易に確認することができる。すなわち、第３構成片２６が接着される第２構成片２２（又は第1構成片２１でもよい）に袋部に関連した個別情報を印字することにより、袋部の利用、管理を容易とすることができるものである。
【００１９】
ところで、図２（Ｂ）に示すように、第１構成片２１及び第２構成片２２の内側面の下方にフォルダ部形成接着部２５を強接着剤でいわゆるベタ形態で形成した場合を示したが、所定数のピンポイントとして強接着してもよい。すなわち、ピンポイントの接着とすることで、フォルダとしての機能を充足させることができると共に、強接着でも剥がすことが容易となることから、例えば第１構成片２１側にも袋部を形成させることができ、又はフォルダ部１２の内側面に所定の情報（例えば広告等）を表示させることもできるものである。このことは以下の各実施形態においても同様に適用することができる。
【００２０】
次に、図４及び図５に、第１実施形態における他の実施形態の説明図を示す。図４において、袋体１１のフォルダ部１２を構成する第１構成片２１及び第２構成片２２の内側面の下方に形成されるフォルダ部形成接着部２５を、両側辺に連続して所定長延出させて形成し、また第２構成片２２に形成される切取線２４，２９を、当該フォルダ部形成接着部２５を回避させる位置に袋部１３を分離させるべき形成したものである。すなわち、第１構成片２１及び第２構成片２２を内側に切取兼用折り線２３で折り曲げて接着させることにより、図１に示す袋体１１のフォルダ部１２が側部開口部分で下側部分が接着された状態となって、当該フォルダ部１２に帳票類２８を差し込んだときに容易に抜け落ちることを防止することができるものである。
【００２１】
また、図５において、図５（Ａ）に示すように、上述の第３構成片２６を、第２構成片２２に連設させた連設第３構成片３１とさせ、当該第２構成片２２と連設第３構成片３１との間に折り線３２を配置させたもので、外側面となる当該連設第３構成片３１に袋状とするための上記同様の袋部形成接着部２７が形成される。この場合、切取線２４は、連設第３構成片３１まで延長されて形成される。そして、当該連設した第１構成片２１及び第２構成片２２における内側面の下方に、図５（Ｂ）に示すように、上記同様のフォルダ部形成接着部２５が形成される（図４の形態としてもよい）。
【００２２】
そこで、図５（Ａ），（Ｂ）より、連設第３構成片３１を第２構成片２２側に折り線３２で折り曲げて袋部形成接着部２７で接着させることにより、図５（Ｃ）に示すように、第２構成片２２をフォルダ部１２と共通させた袋部１３が形成されるものである。これを切取兼用折り線２３で折り曲げてフォルダ部形成接着部２５を接着させることで図１の袋体１１と略同様となるものである（図１と比較して連設第３構成片３１の大きさが第２構成片２２の大きさと同一になる点で異なる）。このように、袋部３を形成させるための各構成片を一体とすることで、図２のような別構成片を貼付するよりも製造工程において有利となるものである。
【００２３】
次に、図６に本発明に係る袋体の第２実施形態の説明図を示すと共に、図７に図６の袋体の展開説明図を示す。図６において、袋体１１は、袋部１３を形成する第３構成片４１を上下２段に分け、上段を袋状の機能を持たせるための袋部形成接着部２７で第２構成片２２に接着させ、下段を第２構成片２２に第３構成片接着部４２で全面接着状態としたものである。この場合、当該上段と下段との間に切取線４３が形成され、これに応じて第２構成片２２の対応部分に切取線４４を形成したものであり、他の構成は図１と同様である。
【００２４】
すなわち、図７（Ａ）に示すように、第２構成片２２には上述のように第３構成片４１の切取線４３に対応した切取線４４が形成され、第１構成片２１及び第２構成片２２の下辺部分にフォルダ部形成接着部２５（図４の形態としてもよい）が形成されたものである。そして、図７（Ｂ）に示すように、第３構成片４１の内側面において、上段の三辺部分に袋部形成接着部２７が形成され、切取線４３を挟んで下段には全面に第３構成片接着部４２が形成されたものである。ここでは、第３構成片接着部４２を強接着させる接着剤を使用することとしている。
【００２５】
そこで、図７（Ｃ）に示すように、第３構成片４１を第２構成片２２に切取線４３，４４を対応させて接着させ、切取兼用折り線２３で折り曲げて第１構成片２１及び第２構成片２２に形成されたフォルダ部形成接着部２５同士を接着させることによって、図６に示す袋体１１となるものである。なお、上記例では、第３構成片接着部４２を強接着させる接着剤を使用する場合を示したが、剥離可能な感圧接着剤を使用することとしてもよい。この場合、袋部１３を分離させた後に残る第３構成片４１の残部を剥離させることで、広告やお知らせのような剥離表出情報を第２構成片２２に形成させておくことができる。
【００２６】
ここで、図８に、図６の袋体の使用形態の説明図を示す。図８（Ａ）に示すように、袋体１１の切取兼用折り線２３及び切取線４３（４４）より袋部（集金袋）１３をフォルダ部１２より分離させる。そして、当該袋部１３に購入代金等を投入した後、図８（Ｂ）に示すように、フラップ対応部分２２Ａを折り曲げることで簡易封止して集金袋１３とするものである。
【００２７】
この場合、フォルダ部１２は、図８（Ｃ）に示すように、第１構成片２１と第２構成片２２及び第３構成片４１の残部４１Ｂ（第２構成片２２の残部を含む）で、フォルダとしての機能を残しており、このフォルダ部１２に当初保持されていた帳票類２８を再度保持させることができるものである。このようにすることにより、袋部１３が分離された後であっても票類２８がフォルダ部１２内に保持されることから散在を回避させることができるものである。
【００２８】
次に、図９に、第２実施形態における他の実施形態の説明図（１）を示す。図９（Ａ）〜（Ｃ）は、第３構成片の構成を図７（Ａ）〜（Ｃ）に対応させると共に、図５（Ａ）〜（Ｃ）に対応させたものである。すなわち、図９（Ａ）に示すように、第３構成片を第２構成片２２に連設させて連設第３構成片５１とさせ、当該第２構成片２２と連設第３構成片５１との間に折り線５２を配置させたもので、外側面となる当該連設第３構成片５１の上段に袋状とするための上記同様の袋部形成接着部２７が形成される。この場合、切取線４４と切取線５３とは直線上に形成される。そして、当該連設した第１構成片２１及び第２構成片２２における内側面の下方に、図９（Ｂ）に示すように、上記同様のフォルダ部形成接着部２５が形成される（図４の形態としてもよい）。
【００２９】
そこで、図９（Ａ），（Ｂ）より、連設第３構成片５１を第２構成片２２側に折り線５２で折り曲げて袋部形成接着部２７で接着させると共に、第３構成片接着部４２で全面接着させることにより、図９（Ｃ）に示すように、第２構成片２２をフォルダ部１２と共通させた袋部１３が形成されるものである。これを切取兼用折り線２３で折り曲げてフォルダ部形成接着部２５を接着させることで図６の袋体１１と略同様となるものである。このように、袋部１３を形成させるための構成片を一体とすることで、図７のような別構成片を貼付するよりも製造工程において有利となるものである。
【００３０】
続いて、図１０に第２実施形態における他の実施形態の説明図（２）を示すと共に、図１１に図１０の袋体の展開説明図（１）を示す。図１０及び図１１は図６及び図７に対応させたものである。図１０に示すように、第３構成片４１の下段に、例えば商品注文ハガキの表面となるハガキ表面部６１が形成され、このエリアに商品注文ハガキの宛名情報等６２が形成されると共に、当該ハガキ表面部６１を分離させるための切取線６３が形成されたものである。すなわち、図１１（Ｂ）に示すように、当該第３構成片４１の外側面の下段には当該ハガキ表面部６１が形成されて宛名情報等６２が印刷表示されると共に、ハガキ大の切取線６３が形成されたものである。当該第３構成片４１において、他の構成は図７と同様である。
【００３１】
一方、図１１（Ａ）に示すように、第２構成片２２の内側面における当該第３構成片４１に対応する下段に、上記ハガキ表面部６１に対応したハガキ裏面部６４が形成されて所定情報が印刷表示され、上記切取線６３に対応して切取線６５が形成される。当該第１構成片２１及び第２構成片２２の他の構成は図７と同様である。そして、図１１（Ｃ）に示すように、第３構成片４１を第２構成片２２に切取線４３，４４，６３，６５を対応させて袋部形成接着部２７及び第３構成片接着部４２で強接着させ、切取兼用折り線２３で折り曲げて第１構成片２１及び第２構成片２２に形成されたフォルダ部形成接着部２５同士を接着させることによって、図１０に示す袋体１１となるものである。
【００３２】
このように、第３構成片４１及び第２構成片２２に例えば商品注文用の分離自在なハガキ部を形成させることにより、フォルダ部１２に商品注文用紙の帳票を不要とさせ、より利便性を向上させることができるものである。なお、上記のような第３構成片４１を、図９に対応させることができることはもちろんである。
【００３３】
続いて、図１２に、第２実施形態における他の実施形態の説明図（２）を示す。図１２（Ａ）〜（Ｃ）は、ハガキ表面部６１及びハガキ裏面部６４を第３構成片４１に形成させた場合を示している。すなわち、図１２（Ａ）に示すように、第２構成片２２の内側面の下段には剥離表出情報６６を形成しておく。一方で、図１２（Ｂ）に示すように、第３構成片接着部４２の接着剤に剥離可能な感圧接着剤を使用し、第３構成片４１の外側面にハガキ表面部６１を形成すると共に、剥離可能な第３構成片接着部４２上に内側面ハガキ裏面部６４を形成し、さらにハガキ大とさせる切取線６３を形成したものである。
【００３４】
そして、図１２（Ｃ）に示すように、第３構成片４１を第２構成片２２に切取線４３，４４を対応させて袋部形成接着部２７で強接着させると共に、第３構成片接着部４２で剥離可能に接着させ、切取兼用折り線２３で折り曲げて第１構成片２１及び第２構成片２２に形成されたフォルダ部形成接着部２５同士を接着させることによって、図１０に示す袋体１１となるものである。すなわち、袋部１３を分離した後、ハガキ部を切取線６３で分離させると、第２構成片２２の内側面に表示させた剥離表出情報６６が表出して情報伝達を行うことができるものである。
【００３５】
このように、第３構成片４１に例えば商品注文用の分離自在なハガキ部を形成させることもでき、より利便性を向上させることができるものである。なお、上記のような第３構成片４１においても、図９に対応させることができることはもちろんである。
【００３６】
なお、各実施形態において、各第３構成片は、第２構成片２２（又は第1構成片２１）と同等の大きさとなっているが、第３構成片を、第２構成片２２と第１構成片２１が連設された状態の連設構成片と同じサイズとすることも考えられる。この場合、第３構成片と連設構成片とを接着した後にデータを印字し、折り曲げてファイル部を形成する場合でも接着された状態のものが全体に均一の厚みであるため印字を良好に行うことができるものである。
【産業上の利用可能性】
【００３７】
本発明の袋体は、実施形態のような商品注文用としての利用可能性の他に、一般の事務用、携帯用の書類保持収納用等に適用可能である。
【図面の簡単な説明】
【００３８】
【図１】本発明に係る袋体の第１実施形態の構成図である。
【図２】図１の袋体の展開説明図である。
【図３】図１の袋体の使用形態の説明図である。
【図４】第１実施形態における他の実施形態の説明図（１）である。
【図５】第１実施形態における他の実施形態の説明図（２）である。
【図６】本発明に係る袋体の第２実施形態の説明図である。
【図７】図６の袋体の展開説明図である。
【図８】図６の袋体の使用形態の説明図である。
【図９】第２実施形態における他の実施形態の説明図（１）である。
【図１０】第２実施形態における他の実施形態の説明図（２）である。
【図１１】図１０の袋体の展開説明図（１）である。
【図１２】図１０の袋体の展開説明図（２）である。
【符号の説明】
【００３９】
１１              袋体
１２              フォルダ部
１３              袋部
２１              第１構成片
２２              第２構成片
２３              切取兼用折り線
２５              フォルダ部形成接着部
２６，４１        第３構成片
２７              袋部形成接着部
２８              帳票類
３１，５１        連設第３構成片
４２              第３構成片接着部
６１              ハガキ表面部
６４              ハガキ裏面部
６６              剥離表出情報
【図１】
0004641921.tif 000002
【図２】
0004641921.tif 000003
【図３】
0004641921.tif 000004
【図４】
0004641921.tif 000005
【図５】
0004641921.tif 000006
【図６】
0004641921.tif 000007
【図７】
0004641921.tif 000008
【図８】
0004641921.tif 000009
【図９】
0004641921.tif 000010
【図１０】
0004641921.tif 000011
【図１１】
0004641921.tif 000012
【図１２】
0004641921.tif 000013